【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
ビデオ画像を表す圧縮符号化されたビデオシーケンスを変更するビデオシーケンス変更方法において、
該圧縮符号化されたビデオシーケンスは、イントラ符号化ピクチャ及び少なくとも１つのインタ符号化ピクチャを含むグループオブピクチャを含み、該インタ符号化ピクチャは、複数の画像ブロックを含み、該画像ブロックの少なくとも１つは、グループオブピクチャ内の他のピクチャ内の参照画像ブロックに対する画像ブロックの移動を表す動きベクトルと、該画像ブロック及び参照画像ブロックの間の差分を表す差信号とを有し、
当該ビデオシーケンス変更方法は、
上記各グループオブピクチャについて、グループオブピクチャ内のインタ符号化ピクチャを検出するステップと、
上記検出されたインタ符号化ピクチャから画像ブロックを抽出するステップと、
上記抽出された画像ブロックの少なくとも一部を圧縮し、圧縮された画像ブロックデータを生成するステップと、
それぞれ動き値ゼロのベクトル及び値ゼロの差信号を有する置換画像ブロック及び上記圧縮された画像ブロックデータを上記ビデオシーケンスに挿入し、上記抽出された画像ブロックを置換するステップと
を有するビデオシーケンス変更方法。
【請求項２】
上記圧縮された画像ブロックデータを暗号化するステップを更に有する請求項１記載のビデオシーケンス変更方法。
【請求項３】
上記ビデオシーケンスの１つ以上のイントラ符号化ピクチャに可視ウォータマークを埋め込むステップを更に有する請求項１記載のビデオシーケンス変更方法。
【請求項４】
上記各インタ符号化ピクチャは、画像ブロックが単一の動きベクトルを有する予測符号化されたピクチャ又は画像ブロックが、ビデオシーケンス内の他のピクチャ内のそれぞれの参照画像ブロックに対する画像ブロックの移動をそれぞれが表す複数の動きベクトルを有する双方向符号化されたピクチャであることを特徴とする請求項１記載のビデオシーケンス変更方法。
【請求項５】
上記検出するステップは、上記インタ符号化ピクチャが予測符号化されたピクチャであるか、双方向符号化されたピクチャであるかを検出し、上記置換画像ブロックは、検出された予測符号化されたピクチャを置換するための第１の所定のコード又は双方向符号化されたピクチャを置換するための第２の所定のコードを含むことを特徴とする請求項４記載のビデオシーケンス変更方法。
【請求項６】
上記ビデオシーケンスは、ＭＰＥＧ２ビットストリームであり、上記画像ブロックは、ＭＰＥＧ２マクロブロックであり、上記第１及び第２の所定のコードは、それぞれがインタ符号化ピクチャ内のマクロブロックの行を表し、行の最初及び最後のマクロブロックだけを定義するコード部分をそれぞれ含むことを特徴とする請求項５記載のビデオシーケンス変更方法。
【請求項７】
ビデオ画像を表す圧縮符号化されたビデオシーケンスを構築するビデオシーケンス構築方法において、
圧縮符号化されたビデオシーケンスを生成するステップと、
上記生成した圧縮符号化されたビデオシーケンスを請求項１乃至６いずれか１項記載のビデオシーケンス変更方法に基づいて変更するステップとを有するビデオシーケンス構築方法。
【請求項８】
ビデオ画像を表す圧縮符号化されたビデオシーケンスを変更するビデオシーケンス変更装置において、
該圧縮符号化されたビデオシーケンスは、イントラ符号化ピクチャ及び少なくとも１つのインタ符号化ピクチャを含むグループオブピクチャを含み、該インタ符号化ピクチャは、複数の画像ブロックを含み、該画像ブロックの少なくとも１つは、グループオブピクチャ内の他のピクチャ内の参照画像ブロックに対する画像ブロックの移動を表す動きベクトルと、該画像ブロック及び参照画像ブロックの間の差分を表す差信号とを有し、
当該ビデオシーケンス変更装置は、
上記各グループオブピクチャについて、グループオブピクチャ内のインタ符号化ピクチャを検出するピクチャ検出器と、
上記検出されたインタ符号化ピクチャから画像ブロックを抽出する抽出器と、
上記抽出された画像ブロックの少なくとも一部を圧縮し、圧縮された画像ブロックデータを生成する圧縮器と、
それぞれ動き値ゼロのベクトル及び値ゼロの差信号を有する置換画像ブロック及び上記圧縮された画像ブロックデータを上記ビデオシーケンスに挿入し、上記抽出された画像ブロックを置換する挿入器と
を備えるビデオシーケンス変更装置。
【請求項９】
上記圧縮された画像ブロックデータを暗号化する暗号化器を更に備える請求項８記載のビデオシーケンス変更装置。
【請求項１０】
上記ビデオシーケンスの１つ以上のイントラ符号化ピクチャに可視ウォータマークを埋め込む埋込器を更に備える請求項８記載のビデオシーケンス変更装置。
【請求項１１】
ビデオ画像を表す変更された圧縮符号化されたビデオシーケンスに施された変更を逆に戻すビデオシーケンス逆変更方法において、
該圧縮符号化されたビデオシーケンスは、イントラ符号化ピクチャ及び少なくとも１つのインタ符号化ピクチャを含むグループオブピクチャを含み、該インタ符号化ピクチャは、複数の画像ブロックを含み、該画像ブロックの少なくとも１つは、グループオブピクチャ内の他のピクチャ内の参照画像ブロックに対する画像ブロックの移動を表す動きベクトルと、該画像ブロック及び参照画像ブロックの間の差分を表す差信号とを有し、上記変更されたビデオシーケンスは、置換画像ブロックと、元の画像ブロックから形成された圧縮画像ブロックデータとを含み、
当該ビデオシーケンス逆変更方法は、
上記各グループオブピクチャについて、上記ビデオシーケンス内のインタ符号化ピクチャを検出するステップと、
上記検出されたインタ符号化ピクチャから圧縮された画像ブロックデータを抽出するステップと、
抽出された圧縮画像ブロックデータを伸長し、元の画像ブロックを再生するステップと、
それぞれ動き値ゼロのベクトル及び値ゼロの差信号を有する上記置換画像ブロック及び上記圧縮された画像ブロックデータを元の画像ブロックにより置換するステップと
を有するビデオシーケンス逆変更方法。
【請求項１２】
上記圧縮された画像ブロックデータを平文化するステップを更に有する請求項１１記載のビデオシーケンス逆変更方法。
【請求項１３】
上記ビデオシーケンスの１つ以上のイントラ符号化ピクチャから可視ウォータマークを取り除き、元のイントラ符号化ピクチャを復元するステップを更に有する請求項１１記載のビデオシーケンス逆変更方法。
【請求項１４】
ビデオ画像を表す圧縮符号化されたビデオシーケンスに施された変更を逆に戻すビデオシーケンス逆変更装置において、
該圧縮符号化されたビデオシーケンスは、イントラ符号化ピクチャ及び少なくとも１つのインタ符号化ピクチャを含むグループオブピクチャを含み、該インタ符号化ピクチャは、複数の画像ブロックを含み、該画像ブロックの少なくとも１つは、グループオブピクチャ内の他のピクチャ内の参照画像ブロックに対する画像ブロックの移動を表す動きベクトルと、該画像ブロック及び参照画像ブロックの間の差分を表す差信号とを有し、
当該ビデオシーケンス逆変更装置は、
上記各グループオブピクチャについて、上記ビデオシーケンス内のインタ符号化ピクチャを検出する検出器と、
上記検出されたインタ符号化ピクチャから圧縮された画像ブロックデータを抽出する抽出器と、
抽出された圧縮画像ブロックデータを伸長し、元の画像ブロックを再生する伸長器と、
それぞれ動き値ゼロのベクトル及び値ゼロの差信号を有する置換画像ブロック及び上記圧縮された画像ブロックデータを元の画像ブロックにより置換するピクチャ生成器と
を備えるビデオシーケンス逆変更装置。
【請求項１５】
上記圧縮された画像ブロックデータを平文化する平文化器を更に備える請求項１４記載のビデオシーケンス逆変更装置。
【請求項１６】
上記ビデオシーケンスの１つ以上のイントラ符号化ピクチャから可視ウォータマークを取り除き、元のイントラ符号化ピクチャを復元するウォータマークデコーダを更に備える請求項１４記載のビデオシーケンス逆変更装置。
【請求項１７】
サーバ装置とクライアント装置とを備えるビデオシーケンス配信システムにおいて、
該サーバ装置は、
変更された圧縮符号化ビデオシーケンスをクライアント装置に提供し、
変更された圧縮符号化ビデオシーケンスに施された変更を逆に戻す情報をクライアント装置に提供し、
該圧縮符号化されたビデオシーケンスは、イントラ符号化ピクチャ及び少なくとも１つのインタ符号化ピクチャを含むグループオブピクチャを含み、該インタ符号化ピクチャは、複数の画像ブロックを含み、該画像ブロックの少なくとも１つは、グループオブピクチャ内の他のピクチャ内の参照画像ブロックに対する画像ブロックの移動を表す動きベクトルと、該画像ブロック及び参照画像ブロックの間の差分を表す差信号とを有し、
上記圧縮符号化されたビデオシーケンスは、
上記各グループオブピクチャについて、グループオブピクチャ内のインタ符号化ピクチャを検出し、
上記検出されたインタ符号化ピクチャから画像ブロックを抽出し、
上記抽出された画像ブロックの少なくとも一部を圧縮し、圧縮された画像ブロックデータを生成し、
それぞれ動き値ゼロのベクトル及び値ゼロの差信号を有する置換画像ブロック及び上記圧縮された画像ブロックデータを上記ビデオシーケンスに挿入し、上記抽出された画像ブロックを置換することにより変更されることを特徴とするビデオシーケンス配信システム。
【請求項１８】
上記クライアント装置は、
変更された圧縮符号化ビデオシーケンスに施された変更を逆に戻す情報をサーバ装置に要求し、
ビデオ画像を表す変更された圧縮符号化されたビデオシーケンスに施された変更を逆に戻し、該変更された圧縮符号化されたビデオシーケンスに施された変更を逆に戻す処理は、
上記各グループオブピクチャについて、上記ビデオシーケンス内のインタ符号化ピクチャを検出し、
上記検出されたインタ符号化ピクチャから圧縮された画像ブロックデータを抽出し、
抽出された圧縮画像ブロックデータを伸長し、元の画像ブロックを再生し、
それぞれ動き値ゼロのベクトル及び値ゼロの差信号を有する上記置換画像ブロック及び上記圧縮された画像ブロックデータを元の画像ブロックにより置換することにより実行されることを特徴とする請求項１７記載のビデオシーケンス配信システム。
【請求項１９】
コンピュータにロードされると、ビデオ画像を表す圧縮符号化されたビデオシーケンスを変更するビデオシーケンス変更方法を実行するコンピュータにより実行可能な命令を提供するコンピュータプログラムにおいて、
該圧縮符号化されたビデオシーケンスは、イントラ符号化ピクチャ及び少なくとも１つのインタ符号化ピクチャを含むグループオブピクチャを含み、該インタ符号化ピクチャは、複数の画像ブロックを含み、該画像ブロックの少なくとも１つは、グループオブピクチャ内の他のピクチャ内の参照画像ブロックに対する画像ブロックの移動を表す動きベクトルと、該画像ブロック及び参照画像ブロックの間の差分を表す差信号とを有し、
当該ビデオシーケンス変更方法は、
上記各グループオブピクチャについて、グループオブピクチャ内のインタ符号化ピクチャを検出するステップと、
上記検出されたインタ符号化ピクチャから画像ブロックを抽出するステップと、
上記抽出された画像ブロックの少なくとも一部を圧縮し、圧縮された画像ブロックデータを生成するステップと、
それぞれ動き値ゼロのベクトル及び値ゼロの差信号を有する置換画像ブロック及び上記圧縮された画像ブロックデータを上記ビデオシーケンスに挿入し、上記抽出された画像ブロックを置換するステップとを有するコンピュータプログラム。
【請求項２０】
コンピュータにロードされると、ビデオ画像を表す変更された圧縮符号化されたビデオシーケンスに施された変更を逆に戻すビデオシーケンス逆変更方法を実行するコンピュータにより実行可能な命令を提供するコンピュータプログラムにおいて、
該圧縮符号化されたビデオシーケンスは、イントラ符号化ピクチャ及び少なくとも１つのインタ符号化ピクチャを含むグループオブピクチャを含み、該インタ符号化ピクチャは、複数の画像ブロックを含み、該画像ブロックの少なくとも１つは、グループオブピクチャ内の他のピクチャ内の参照画像ブロックに対する画像ブロックの移動を表す動きベクトルと、該画像ブロック及び参照画像ブロックの間の差分を表す差信号とを有し、
上記変更されたビデオシーケンスは、置換画像ブロックと、元の画像ブロックから形成された圧縮画像ブロックデータとを含み、
当該ビデオシーケンス逆変更方法は、
上記各グループオブピクチャについて、上記ビデオシーケンス内のインタ符号化ピクチャを検出するステップと、
上記検出されたインタ符号化ピクチャから圧縮された画像ブロックデータを抽出するステップと、
抽出された圧縮画像ブロックデータを伸長し、元の画像ブロックを再生するステップと、
それぞれ動き値ゼロのベクトル及び値ゼロの差信号を有する上記置換画像ブロック及び上記圧縮された画像ブロックデータを元の画像ブロックにより置換するステップとを有するコンピュータプログラム。
【請求項２１】
請求項１９又は２０記載のコンピュータプログラムを記録した記録媒体。